(57)【要約】【課題】偏光パターンの湾曲を抑制した高品質な光学フィルムの製造装置を提供する。【解決手段】積層体１０を積層体１０の長軸方向に搬送する搬送装置と、積層体１０の搬送経路内に配置され、積層体１０のフィルム原反２Ａ側が巻きかけられる搬送ロール１３４と、積層体１０の搬送方向に交差する方向において、光学材料層３Ｘの複数箇所に紫外線ＵＶ１を露光する第１露光装置１６１と、を有し、搬送ロール１３４の回転軸方向の視野における積層体１０と搬送ロール１３４との接触範囲は、積層体１０の上流側端部１３４Ｘと下流側端部１３４Ｙとを結ぶ円弧の中心角θ１において１８０度以上となる範囲であり、第１露光装置１６１は、上流側端部１３４Ｘから搬送方向に０度以上３０度以下の範囲、または下流側端部１３４Ｙから搬送方向とは反対方向に０度以上３０度以下の範囲に位置する光学材料層３Ｘに露光可能に設けられている。【選択図】図６
2015049431.tif 000002
【特許請求の範囲】
【請求項１】
帯状に延在するフィルム原反の一方の面に光学材料層が形成された積層体を、前記積層体の長軸方向に搬送する搬送装置と、
前記積層体の搬送経路内に配置され、前記積層体の前記フィルム原反側が巻きかけられるバックアップロールと、
搬送中の前記積層体に対し、前記積層体の搬送方向に交差する方向において、前記光学材料層の複数箇所に偏光光を露光する露光装置と、を有し、
前記バックアップロールの回転軸方向の視野における前記積層体と前記バックアップロールとの接触範囲は、前記積層体の搬送方向の上流側端部と下流側端部とを結ぶ円弧の中心角において１８０度以上となる範囲であり、
前記露光装置は、前記視野において前記上流側端部から前記搬送方向に０度以上３０度以下の範囲、または前記下流側端部から前記搬送方向とは反対方向に０度以上３０度以下の範囲に位置する前記光学材料層に露光可能に設けられている光学フィルムの製造装置。
【請求項２】
前記露光装置は、前記視野において前記上流側端部から前記搬送方向に０度以上３０度以下の範囲に位置する前記光学材料層に露光可能に設けられている請求項１に記載の光学フィルムの製造装置。
【発明の詳細な説明】
【技術分野】
【０００１】
本発明は、光学フィルムの製造装置に関するものである。
【背景技術】
【０００２】
近年、ＦＰＲ（Film Patterned Retarder）方式と称されるパッシブ方式の３Ｄ液晶ディスプレイが開発されている。
【０００３】
この方式の３Ｄ液晶ディスプレイでは、例えば、液晶パネルの左右方向に延びる画素列毎に、両眼視差に対応する右眼用画像と左眼用画像とを交互に配置され、同時に表示する。液晶パネルの表示面側には、右眼用画像と左眼用画像とを形成する画像光の偏光状態を異ならせるため、液晶パネルの左右方向に延びる画素列に対応した複数の偏光パターン列を有するＦＰＲフィルムが設けられている。使用者は、ＦＰＲフィルムを介して表示される画像（右眼用画像および左眼用画像）を、偏光眼鏡を介して見ることで、使用者の右眼では右眼用画像を、左眼では左眼用画像をそれぞれ選択的に視認する。これにより使用者は、両眼の像を融合した立体画像を認識することができる。
【０００４】
従来、このような方式の３Ｄ液晶ディスプレイで用いるＦＲＰフィルムについて、ロールトゥロール方式で大量に製造する方法が知られている（例えば、特許文献１参照）。特許文献１の製造方法では、まず、ＦＲＰフィルムの製造に用いる帯状のフィルム原反の表面に、光配向性材料の層を形成する。次いで、このフィルム原反をロール搬送しながら、光配向性材料の層に、搬送方向に交差する方向に交互に配列した２種の偏光光を露光する。これにより、２種の偏光光に対応する２種の偏光パターンが、フィルム原反の搬送方向に連続した帯状に形成されたＦＰＲフィルムの原反を製造することができる。
【先行技術文献】
【特許文献】
【０００５】
【特許文献１】特開２０１２−１９８５２２号公報
【発明の概要】
【発明が解決しようとする課題】
【０００６】
しかしながら、ＦＲＰフィルムの製造に用いる帯状のフィルム原反は、ロール搬送する際に蛇行しやすく、その結果、上記特許文献１の方法で形成される２種の偏光パターンも湾曲したものが得られやすい。
【０００７】
湾曲した偏光パターンを有するＦＲＰフィルムは、液晶パネルに貼り合せたときに、偏光パターンと液晶パネルの画素列の配列パターンとを一致させにくく、１つの画素に２種の偏光パターンが重なってしまう部分が生じやすい。３Ｄ液晶ディスプレイにおいて、このように２種の偏光パターンが重なった画素が存在すると、３Ｄ表示時に右眼用画像と左眼用画像とを同じ目で同時に視認してしまう表示不良（クロストーク）が生じ、良好な３Ｄ表示ができない。そのため、湾曲した偏光パターンを有するＦＲＰフィルムは不良品として扱われ、生産性が低下しやすいという課題があった。
【０００８】
本発明はこのような事情に鑑みてなされたものであって、偏光パターンの湾曲を抑制した高品質な光学フィルムの製造装置を提供することを目的とする。
【課題を解決するための手段】
【０００９】
発明者が鋭意検討した結果、搬送経路内においては、蛇行しやすい位置と蛇行しにくい位置とが存在することを見出し、本発明を完成させた。
【００１０】
すなわち、本発明の一態様は、帯状に延在するフィルム原反の一方の面に光学材料層が形成された積層体を、前記積層体の長軸方向に搬送する搬送装置と、前記積層体の搬送経路内に配置され、前記積層体の前記フィルム原反側が巻きかけられるバックアップロールと、搬送中の前記積層体に対し、前記積層体の搬送方向に交差する方向において、前記光学材料層の複数箇所に偏光光を露光する露光装置と、を有し、前記バックアップロールの回転軸方向の視野における前記積層体と前記バックアップロールとの接触範囲は、前記積層体の搬送方向の上流側端部と下流側端部とを結ぶ円弧の中心角において１８０度以上となる範囲であり、前記露光装置は、前記視野において前記上流側端部から前記搬送方向に０度以上３０度以下の範囲、または前記下流側端部から前記搬送方向とは反対方向に０度以上３０度以下の範囲に位置する前記光学材料層に露光可能に設けられている光学フィルムの製造装置を提供する。
【００１１】
本発明の一態様によれば、前記露光装置は、前記視野において前記上流側端部から前記搬送方向に０度以上３０度以下の範囲に位置する前記光学材料層に露光可能に設けられていることが好ましい。
【発明の効果】
【００１２】
本発明によれば、偏光パターンの湾曲を抑制した高品質な光学フィルムの製造装置を提供することができる。
【図面の簡単な説明】
【００１３】
【図１】光学フィルムの製造装置で製造される光学フィルムの一例を示す概略斜視図である。
【図２】本実施形態の光学フィルムの製造装置を示す模式図である。
【図３】光学フィルムの製造工程を示す工程図である。
【図４】光学フィルムの製造工程を示す工程図である。
【図５】第１露光装置を用いた露光の様子を示す模式図である。
【図６】第１露光装置の配置位置について説明する説明図である。
【図７】実施例の結果を示すグラフである。
【発明を実施するための形態】
【００１４】
以下、図１〜図６を参照しながら、本発明の実施形態に係る光学フィルムの製造装置について説明する。なお、以下の全ての図面においては、図面を見やすくするため、各構成要素の寸法や比率などは適宜異ならせてある。
【００１５】
図１は、本実施形態の光学フィルムの製造装置を用いて製造される光学フィルムの一例を示す概略斜視図である。図に示す光学フィルム１は、基材２と、基材２の一面に形成された光配向層３と、光配向層３の上面に形成された液晶層４と、を有している。
【００１６】
基材２は、可撓性と光透過性とを有するフィルム状の部材であり、平面視矩形を呈している。基材２は、樹脂材料を形成材料としており、例えば、トリアセチルセルロース（ＴＡＣ）系フィルム、ポリメタクリル酸メチル（ＰＭＭＡ）系フィルム、ポリエチレンテレフタレート（ＰＥＴ）系フィルムなどを採用することができる。
【００１７】
基材２の下面（光配向層３とは反対側の面）には、防眩層（アンチグレア層）、反射防止層、ハードコート層、帯電防止層など、種々の機能を付与する層が形成されていてもよい。
【００１８】
ここで、防眩層とは、複数の凹凸や粒子を有する層であり、外光を乱反射させ、映り込みやぎらつきを抑制する機能を有する層である。
反射防止層とは、代表的には誘電体多層膜で形成され、屈折率の異なる複数の層が積層することで、層間の界面における反射光同士を干渉させ、反射光の強度を低減させる機能を有する層である。
ハードコート層とは、例えば、可視光領域の光を散乱させないほど小さい粒径を有する金属酸化物微粒子が分散した硬化性樹脂の層であり、表面の傷つきを抑制する機能を有する層である。
【００１９】
さらに、基材２の下面には、保護フィルムが積層されていてもよい。
【００２０】
光配向層３は、液晶性を有する材料（以下、液晶材料と称する）の配向規制力を有している。このような光配向層３は、重合性の光配向材料を用いて形成されている。光配向材料としては、偏光光で露光されることにより配向規制力を発現するものを用いる。光配向材料に偏光光を露光した上で重合させることで、配向規制力を保持した光配向層３を形成することができる。
【００２１】
光配向層３は、配向規制力が働く方向が平面視において９０度異なる２つの配向領域３１，３２を有している。配向領域３１，３２はそれぞれ、平面視で矩形を呈する基材２の一辺と同方向に延在する帯状の領域である。また、配向領域３１，３２は、自身の延在方向と交差する方向に、交互に設けられている。
【００２２】
液晶層４は、光配向層３の配向領域３１，３２に応じた２つの偏光パターン４１，４２を有している。偏光パターン４１，４２は、それぞれ異なる屈折率異方性を示す。そのため、液晶層４に入射する光は、偏光パターン４１，４２に応じた２種の偏光状態の光となって射出される。
【００２３】
「２種の偏光状態の光」とは、例えば、互いに直交する振動方向を示す２種の直線偏光や、２種の円偏光（右円偏光と左円偏光）を指す。
【００２４】
このような液晶層４は、重合性の官能基を有する液晶材料を用いて形成される。すなわち、液晶層４は、光配向層３が有する配向領域３１，３２の配向規制力に応じて液晶材料を２方向に配列させ、さらに、液晶材料が有する重合性の官能基を反応させて、用いる液晶材料の液晶相を維持して硬化させることにより得られる。
【００２５】
図２は、本実施形態の光学フィルムの製造装置を示す模式図である。図に示す製造装置１００は、図１に示す光学フィルム１を製造する装置全体のうち一部を成している。
【００２６】
製造装置１００は、巻出しロール１１０（搬送装置）、巻取りロール１２０（搬送装置）、搬送ロール１３０（搬送装置）、塗布装置１４０、乾燥装置１５０および露光装置１６０を有している。
【００２７】
製造装置１００では、フィルム原反２Ａを搬送しながら、搬送経路内においてフィルム原反２Ａの一面に光配向層３Ａを形成する。フィルム原反２Ａは、図１の基材２が一方向に連続してなる帯状の部材であり、所定の長さ毎に切断されることで、上述の図１の基材２を得ることができる。
【００２８】
巻出しロール１１０は、ロール状に巻き取られたフィルム原反２Ａを順次巻き出し、巻取りロール１２０は、搬送経路内で一面に光配向層３Ａが形成されたフィルム原反２Ａを順次巻き取る。巻出しロール１１０と巻取りロール１２０との間で搬送されるフィルム原反２Ａには、延在方向に張力が加えられており、搬送中の撓みが抑制されている。
【００２９】
巻出しロール１１０と巻取りロール１２０との間の搬送経路には、フィルム原反２Ａを搬送する搬送ロール１３０（搬送ロール１３１，１３２，１３３，１３４，１３５，１３６）が設けられている。搬送ロール１３４は、露光装置１６０を用いた露光操作を行う際のバックアップロールとしての機能も有している。
【００３０】
塗布装置１４０は、フィルム原反２Ａの搬送経路に設けられ、フィルム原反２Ａの一面に、上述の図１で示した光配向層３の形成材料である光配向材料を含む液状体を塗布する。塗布装置１４０としては、液状体を塗布することができる通常知られた構成を用いることができ、例えば、ディスペンサー、ダイコーター、バーコーター、スリットコーター、スプレー塗布装置または印刷機を挙げることができる。図２では、塗布装置１４０としてダイコーターを用いることとして示している。また、図２では、塗布装置１４０によりフィルム原反２Ａの一面に形成された光配向材料の塗膜を、符号３αとして示している。
【００３１】
乾燥装置１５０は、フィルム原反２Ａの搬送経路内において塗布装置１４０の下流側に設けられ、フィルム原反２Ａの一面に形成された塗膜３αを乾燥させる。乾燥装置１５０としては、塗膜３αの表面荒れを抑制しつつ塗膜３αを乾燥させることができれば、種々の装置構成を採用することができる。例えば、乾燥装置１５０として、加熱、送風、減圧またはこれらの組み合わせにより、塗膜３αを乾燥させる機能を有する装置を採用することができる。図２では、乾燥装置１５０により塗膜３αを乾燥させて得られる材料層（光学材料層）を、符号３Ｘとして示している。また、図２では、フィルム原反２Ａと、フィルム原反２Ａの一面に形成された光学材料層３Ｘと、の積層体を符号１０で示している。積層体１０が、本発明における積層体に該当する。
【００３２】
搬送ロール１３４は、フィルム原反２Ａの搬送経路内において乾燥装置１５０の下流側に設けられており、積層体１０のフィルム原反２Ａ側が巻きかけられている。
【００３３】
露光装置１６０は、搬送ロール１３４の近傍に配置され、積層体１０の光学材料層３Ｘに対して所定のパターンの露光を行う。図２では、露光装置１６０として、搬送方向の上流側に設けられた第１露光装置１６１と、搬送方向の下流側に設けられた第２露光装置１６２と、を有することとして示している。第１露光装置１６１が、本発明における露光装置に該当する。
【００３４】
第１露光装置１６１は、搬送中の積層体１０に対し、積層体１０の搬送方向に交差する方向において、光学材料層３Ｘの複数箇所に第１の偏光光を露光する。図２では、第１の偏光光として、直線偏光光である紫外線ＵＶ１を露光することとして示している。第２露光装置１６２は、光学材料層３Ｘにおいて第１露光装置１６１からの第１の偏光光が露光されなかった領域を含む領域に、第１の偏光光とは偏光状態が異なる第２の偏光光を露光する。図２では、第２の偏光光として、紫外線ＵＶ１とは振動方向が異なる直線偏光光である紫外線ＵＶ２を露光することとして示している。
【００３５】
なお、露光装置１６０を用いて光学材料層３Ｘに露光する際に、積層体１０が露光光によって過熱されないように、搬送ロール１３４が冷却装置を内蔵し、露光中に積層体１０の冷却を行うこととしてもよい。
【００３６】
図３，４は、図１に示した光学フィルムの製造工程を示す工程図であり、フィルム原反２Ａの延在方向と交差する方向（以下、幅方向と称することがある）における概略断面図である。図３は、図２に示した製造装置１００を用いた工程の工程図であり、図４は、不図示の製造装置を用いた工程の工程図である。
【００３７】
以下の説明においては、適宜、図２で示した符号を用い、図２を合わせて参照しながら説明する。
【００３８】
まず、図３（ａ）に示すように、塗布装置１４０を用いて、フィルム原反２Ａの一面に、光配向材料を含む液状体を塗布し、塗膜３αを形成する。
【００３９】
次いで、図３（ｂ）に示すように、乾燥装置１５０を用いて塗膜３αを乾燥させることで、フィルム原反２Ａの一面に光学材料層３Ｘが形成された積層体１０を形成する。図３（ｂ）では、乾燥装置１５０が、加熱により塗膜３αを乾燥させることとして示している。
【００４０】
次いで、図３（ｃ）に示すように、第１露光装置１６１を用いて光学材料層３Ｘの複数箇所に第１の偏光光（紫外線ＵＶ１）を露光する。光学材料層３Ｘのうち紫外線ＵＶ１が露光された領域では、光配向材料の配向と重合とが生じ、配向領域３１Ａが形成される。
【００４１】
図３（ｃ）では、第１露光装置１６１が遮光部Ｍａと光透過部Ｍｂとを有するマスクＭを有し、マスクＭを介して偏光光である紫外線ＵＶ１を照射することで、紫外線ＵＶ１を光学材料層３Ｘの複数箇所に露光することとしている。もちろん、所望の露光が実現できれば、マスクＭを介した露光でなくてもよい。例えば、第１露光装置１６１として、紫外線ＵＶ１を射出するレーザー光源をフィルム原反２Ａの幅方向に複数配列させたものを用い、露光することとしても構わない。
【００４２】
図５は、第１露光装置１６１を用いた露光の様子を示す模式図である。第１露光装置１６１は、空間位置が固定されており、搬送中の積層体１０における光学材料層３Ｘの複数箇所に対して紫外線を照射する。これにより、光学材料層３Ｘにおける紫外線の照射位置が積層体１０の延在方向に相対的に移動し、積層体１０の搬送方向に帯状に繋がる。紫外線を照射した位置では、配向領域３１Ａが形成されるため、その結果、複数の配向領域３１Ａが縞状に形成される。
【００４３】
次いで、図３（ｄ）に示すように、第２露光装置１６２を用いて、光学材料層３Ｘおよび配向領域３１Ａの全面に、紫外線ＵＶ１とは振動方向が異なる第２の偏光光（紫外線ＵＶ２）を露光する。紫外線ＵＶ１と紫外線ＵＶ２とは、例えば振動方向が９０度異なっている。なお、紫外線ＵＶ２は、配向領域３１Ａに照射することなく、光学材料層３Ｘにのみ照射することとしても構わない。これにより、紫外線ＵＶ１が露光されず残存していた光学材料層３Ｘでは、光配向材料の配向と重合とが生じ、配向領域３２Ａが形成される。
【００４４】
本実施形態の製造装置１００においては、以上のようにして、フィルム原反２Ａの一面に複数の配向領域３１Ａ，３２Ａを有する光配向層３Ａを形成する。
【００４５】
次いで、図４（ａ）に示すように、不図示の製造装置を用いて、光配向層３Ａの一面に、重合性の官能基を有する液晶材料および光重合開始剤を含む液状体を塗布し、塗膜を乾燥させることにより、材料層４Ｘを形成する。
【００４６】
次いで、図４（ｂ）に示すように、材料層４Ｘを、材料層４Ｘを構成する液晶材料の相転移温度以上に加熱することにより、配向領域３１Ａ，３２Ａの配向規制力に応じて液晶材料を配向させ、液晶材料の配向方向が異なる２種の材料層４ａ，４ｂを形成する。
【００４７】
次いで、図４（ｃ）に示すように、紫外線ＵＶを材料層４ａ，４ｂの全面に露光して、材料層４ａ，４ｂに含まれる光重合開始剤を反応させ、偏光パターン４１Ａ，４２Ａを有する液晶層４Ａを形成する。
【００４８】
このようにして、フィルム原反２Ａ上に、光配向層３Ａ、液晶層４Ａが順次積層した光学フィルム原反１Ａを製造する。光学フィルム原反１Ａは、帯状に延在する部材であり、所定の長さ毎に切断されることで、図１に示す光学フィルム１が得られる。
【００４９】
以上説明したように、光学フィルムの製造工程においては、搬送ロール１３４における露光で形成される配向領域３１Ａ，３２Ａの形状に応じて、偏光パターン４１Ａ，４２Ａの形状が定まる。しかし、光学フィルムの製造に用いる帯状のフィルム原反や、フィルム原反上に光学材料層を形成してなる積層体は、ロール搬送する際に蛇行しやすい。そのため、図５に示したように、バックアップロールである搬送ロール１３４において露光装置で縞状の配向領域を形成しようとした場合、積層体が蛇行することにより、配向領域も蛇行し、湾曲したものが得られやすい。その結果、図４に示すように、配向領域３１Ａ，３２Ａ上に形成される２種の偏光パターン４１Ａ，４２Ａも湾曲したものが得られやすいという課題があった。
【００５０】
このような蛇行は、例えば以下の方法を用いて検出することができる。
まず、光学フィルム原反１Ａの搬送経路内に配置したマーキング装置を用い、光学フィルム原反１Ａを搬送しながら、搬送ロール１３４の上流側において光学フィルム原反１Ａの表面に連続的に印（マーク）を付す。マーキング装置としては、例えば、インクジェット装置やレーザー光射出装置を用いることができる。これにより、フィルム原反の流れ方向に連続的に複数の印を設ける。この際、印を付す位置は、フィルム原反の幅方向において同じ位置と評価できる位置である。
【００５１】
光学フィルム原反１Ａの表面に付す印としては、種々の形状を採用することができるが、マークが容易であり、後述する印の位置の観察が容易であることからドット状のものが好ましい。印がドット状である場合、ドット径は５０μｍ〜５００μｍあればよく、好ましくは１００μｍ〜２００μｍである。ドット径の精度は、±５０μｍの範囲に含まれるものが好ましく、±２０μｍの範囲に含まれるものがより好ましい。
【００５２】
次いで、搬送ロール１３４の表面を観察可能に配置された撮像装置を用い、搬送ロール１３４上の所定の観察位置における印の通過位置を観察し、フィルム原反の幅方向における印の蛇行の波長および蛇行の大きさを測定することで、蛇行を検出する。
【００５３】
ここで、測定するフィルム原反の「蛇行の大きさ」とは、フィルム原反の幅方向における印位置の変動幅を指す。すなわち、蛇行の大きさとは、フィルム原反の幅方向において、フィルム原反に付した印が最も一端側に移動したときの位置と、最も他端側に移動したときの位置と、の離間距離に相当する。以下の説明においては、蛇行の大きさのことを「蛇行量」と称する。
また、測定するフィルム原反の「蛇行の波長」とは、例えば、フィルム原反の幅方向において、フィルム原反に付した印が最も一端側に移動して通過した後、蛇行により再度同じ位置を通過するまでに搬送されるフィルム原反の長さを指す。
【００５４】
撮像装置としては、例えば５０万画素〜５００万画素の解像度を有するＣＣＤカメラを好適に用いることができる。このようなＣＣＤカメラを、例えば、搬送ロール１３４と光学フィルム原反１Ａとの接触部分における上流側端部から搬送方向に向けて０度、３０度、４５度、６０度、９０度、１２０度、１５０度、１８０度の位置に配置して測定する。各位置に配置するＣＣＤカメラ同士の相対位置、および光学フィルム原反１Ａの搬送速度に基づいて、各ＣＣＤカメラで撮像する印についてフィルム原反の幅方向の変位を求めることで、蛇行の波長および蛇行量を測定することができる。
【００５５】
発明者が鋭意検討した結果、配向領域３１Ａ，３２Ａが形成される搬送ロール１３４においては、積層体１０が幅方向に位置ズレしやすい位置と、位置ズレしにくい位置とがあることが分かった。そのため、積層体１０が位置ズレしにくい位置において、第１露光装置１６１を用いた露光を行うことで、得られる配向領域３１Ａ，３２Ａの蛇行が抑制され、その結果、偏光パターンの湾曲を抑制した高品質な光学フィルムを製造できることが分かった。
【００５６】
図６は、搬送ロール１３４における第１露光装置１６１の配置位置について説明する説明図であり、搬送ロール１３４の回転軸方向の視野における拡大図である。図６においては、第２露光装置１６２は省略している。
【００５７】
まず、図６では、積層体１０と搬送ロール１３４とが接触している範囲は、積層体１０の搬送方向の上流側端部１３４Ｘと下流側端部１３４Ｙとを結ぶ円弧として示されている。積層体１０と搬送ロール１３４との接触範囲は、円弧の中心角θ１において、１８０度以上となる範囲である。接触範囲の上限は、搬送ロール１３４に巻きかけた積層体１０が上流側と下流側とで干渉しない範囲であればよい。図６では、積層体１０と搬送ロール１３４とが、円弧の中心角１８０度の範囲で接触している。
【００５８】
このような状態で搬送ロール１３４に巻きかけられている積層体１０に対して、第１露光装置１６１は、上流側端部１３４Ｘから搬送方向に０度以上３０度以下の範囲（図中θ２で示す角度範囲）に位置する光学材料層３Ｘ、または下流側端部１３４Ｙから搬送方向とは反対方向に０度以上３０度以下の範囲（図中θ３で示す角度範囲）に位置する光学材料層３Ｘに露光可能に設けられている。検討により、このような範囲においては、積層体１０の蛇行が抑制されていることが分かったため、この範囲で第１露光装置１６１を用いた露光を行うことで、得られる配向領域３１Ａ，３２Ａの蛇行を抑制することができる。
【００５９】
また、第１露光装置１６１を用いて露光する位置は、θ２が０度以上３０度以下である範囲であると好ましい。この範囲においては、積層体１０の蛇行が一層抑制されているため、配向領域３１Ａ，３２Ａの蛇行を抑制しやすい。
【００６０】
以上のような構成の光学フィルムの製造装置によれば、偏光パターンの湾曲を抑制した高品質な光学フィルムの製造装置を提供することができる。
【００６１】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【実施例】
【００６２】
以下に本発明を実施例により説明するが、本発明はこれらの実施例に限定されるものではない。本実施例においては、図２に示した製造装置と同様の構成の装置を用いて、搬送するフィルム原反の蛇行量の確認を行った。
【００６３】
本実施例においては、まず、フィルム原反の搬送経路内に配置したインクジェット装置を用い、フィルム原反を搬送しながら、搬送ロール１３４の上流側においてフィルム原反の表面にドット状の印を連続的に付した。ドット径は、３００±５０μｍ程度であった。これにより、フィルム原反の流れ方向（ＭＤ方向）に複数の印を設けた。
【００６４】
次いで、搬送ロール１３４の表面を観察可能に配置された２００万画素の解像度を有する撮像装置（ＣＣＤカメラ）を用いて、搬送ロール１３４上を通過する印の位置を観察し、フィルム原反の幅方向における印の蛇行の波長および蛇行量を測定した。
【００６５】
蛇行挙動の測定は、ＣＣＤカメラの配置位置毎に行った。蛇行挙動の測定は、フィルム原反の搬送開始後、搬送ロール１３４におけるフィルム原反の蛇行が安定した後に、ＣＣＤカメラを用いて撮像し、撮像画像の解析を行って蛇行の波長と蛇行量とを読み取ることで行った。蛇行の挙動が安定しているか否かは、フィルム原反の表面に付した印の搬送ロール１３４における動きを、目視観察して判断した。印の蛇行波長および蛇行量については、各ＣＣＤカメラに対応する位置において蛇行の波長および蛇行量をそれぞれｎ＝３で測定し、測定結果を算術平均した結果を採用した。
【００６６】
製造装置の運転条件は、以下の通りである。
フィルム原反：ＴＡＣフィルム（幅４８０ｍｍ）
フィルムに加える張力：８５Ｎ
フィルム原反の搬送速度：４ｍ／分、８ｍ／分、１０ｍ／分
搬送ロール１３４に対するフィルム原反の接触範囲（θ１）：１８０度
ＣＣＤカメラの配置位置：上流側端部１３４Ｘから搬送方向に向けて０度、３０度、４５度、６０度、９０度、１２０度、１５０度、１８０度の位置
【００６７】
測定結果を図７に示す。図７（ａ）は、上記方法で測定した蛇行量を示すグラフである。図７（ａ）において、横軸は、ＣＣＤカメラの配置位置に対応する検出角度（単位：度）であり、縦軸は、蛇行量（単位：μｍ）である。
また、図７（ｂ）は、上記方法で測定した蛇行の波長を示すグラフである。図７（ｂ）において、横軸は、検出角度（単位：度）であり、縦軸は、蛇行の波長（単位：ｍｍ）である。
【００６８】
測定の結果、０度、３０度、および１５０度、１８０度において蛇行量が小さく、蛇行が抑制されていることが分かった。すなわち、０度以上３０度以下の範囲、または１５０度以上１８０度以下の範囲（搬送方向下端側から０度以上３０度以下の範囲）においてフィルム原反の蛇行が抑制され、露光に適している領域であることが分かった。
【００６９】
さらに、０度以上３０度以下の範囲においては、フィルム原反の搬送速度を変更した場合であっても蛇行が小さく安定的に蛇行が抑制されており、露光に特に適している領域であることが分かった。
【００７０】
これらの結果から、本発明の有用性が確かめられた。
【符号の説明】
【００７１】
１…光学フィルム、２Ａ…フィルム原反、３Ｘ…光学材料層、１０…積層体、１００…製造装置、１３４…搬送ロール（バックアップロール）、１３４Ｘ…上流側端部、１３４Ｙ…下流側端部、１６１…第１露光装置（露光装置）
【図１】
2015049431.tif 000003
【図２】
2015049431.tif 000004
【図３】
2015049431.tif 000005
【図４】
2015049431.tif 000006
【図５】
2015049431.tif 000007
【図６】
2015049431.tif 000008
【図７】
2015049431.tif 000009